(57)【要約】戸建のテレビインターホン装置において、非常通知を容易に行なうことができるテレビインターホン装置を提供する。【課題】カメラ付玄関子機からの呼び出しに応答して通話をするとともに、カメラで撮像された来訪者の映像をモニタに出画する居室親機であって、居室親機は、非常時に来訪者が操作する非常ボタンと、非常ボタンが操作されたとき玄関子機に対して非常通知信号を送出するとともに、当該居室親機のスピーカから非常通知をおこなうための制御をする居室親機ＣＰＵとを備える。【選択図】図２
0003125993.tif 000002
【実用新案登録請求の範囲】
【請求項１】
カメラ（１１）付玄関子機（１）と、前記カメラ付玄関子機からの呼び出しに応答して通話をするとともに、前記カメラで撮像された来訪者の映像をモニタ（２１）に出画する居室親機（２）とから構成され、
前記居室親機は、非常時に居住者が操作する非常ボタン（２３）と、前記非常ボタンが操作されたとき前記玄関子機に対して非常通知信号（Ｓ１）を送出するとともに、当該居室親機のスピーカ（２７）から非常通知をおこなうための制御をする居室親機ＣＰＵ（３０）とを備えたことを特徴とするテレビインターホン装置。
【請求項２】
前記居室親機は、汎用入力端子（４）を有し、前記汎用入力端子に接続された外部入力装置（５）から出力された呼出通知信号等の所定の信号（Ｓ２）を検出した時には、所定時間、報知をおこなうための制御をする居室親機ＣＰＵ（３０）を備えたことを特徴とする請求項１記載のテレビインターホン装置。
【請求項３】
前記居室親機は、少なくとも通話部（３６、３７、３８）を有する増設親機（３）が接続され、前記非常通知信号または前記汎用入力端子から入力された所定の信号を検出した時には前記増設親機に対して送信する制御をおこなう居室親機ＣＰＵ（３０）を備え、
前記増設親機は、前記居室親機から送信された前記非常通知信号または前記所定の信号を受信したとき前記通話部を構成する増設親機スピーカ（３７）から通知をおこなう制御をする増設親機ＣＰＵ（４０）を備えたことを特徴とする請求項２記載のテレビインターホン装置。
【請求項４】
前記居室親機ＣＰＵは、前記報知をおこなっているときに復旧操作がなされた場合には、前記報知を停止する制御をおこなうものであることを特徴とする請求項２または請求項３記載のテレビインターホン装置。
【考案の詳細な説明】
【技術分野】
【０００１】
本考案は、戸建のテレビインターホン装置における非常通知を可能としたテレビインターホン装置に関するものである。
【背景技術】
【０００２】
戸建のテレビインターホン装置において、来訪者が玄関子機の呼出ボタンを操作することで呼出音が居室親機から鳴動するとともに玄関子機のカメラで撮像された来訪者の映像が居室親機のモニタに出画される。
【特許文献１】特開平１１−２３９３４４号公報
【考案の開示】
【考案が解決しようとする課題】
【０００３】
解決しようとする問題点は、戸建のテレビインターホン装置には非常ボタンを備えているものがなく、非常時に他の居住者または、玄関子機周辺にいる人に通知することができないものであった。
【課題を解決するための手段】
【０００４】
本考案によるテレビインターホン装置は、第１の態様として、カメラ付玄関子機と、カメラ付玄関子機からの呼び出しに応答して通話をするとともに、カメラで撮像された来訪者の映像をモニタに出画する居室親機とから構成され、居室親機は、非常時に居住者が操作する非常ボタンと、非常ボタンが操作されたとき玄関子機に対して非常通知信号を送出するとともに、当該居室親機のスピーカから非常通知をおこなうための制御をする居室親機ＣＰＵとを備えたことを特徴とする。
また、本考案によるテレビインターホン装置は、第２の態様として、第１の態様において、居室親機は、汎用入力端子を有し、汎用入力端子に接続された外部入力装置から出力された呼出通知信号等の所定の信号を検出した時には、所定時間、報知をおこなうための制御をする居室親機ＣＰＵを備えたことを特徴とする。
また、本考案によるテレビインターホン装置は、第３の態様として、第２の態様において、居室親機は、少なくとも通話部を有する増設親機が接続され、非常通知信号または汎用入力端子から入力された所定の信号を検出した時には増設親機に対して送信する制御をおこなう居室親機ＣＰＵを備え、増設親機は、居室親機から送信された非常通知信号または所定の信号を受信したとき通話部を構成する増設親機スピーカから通知をおこなう制御をする増設親機ＣＰＵを備えたことを特徴とする。
さらに、本考案によるテレビインターホン装置は、第４の態様として、第２の態様または第３の態様において、居室親機ＣＰＵは、報知をおこなっているときに復旧操作がなされた場合には、報知を停止する制御をおこなうものであることを特徴とする。
【考案の効果】
【０００５】
本考案のテレビインターホン装置によれば、居室親機に非常ボタンを備えたので、非常時には居室親機および玄関子機から非常通知をおこなうことができるのでセキュリティ性が向上する。
また、居室親機に、外部入力装置が接続可能となるように汎用入力端子を備えたので、別途、他の部屋に当該外部入力装置を備えておけば、その部屋からも非常通知することが可能となり更にセキュリティ性が向上する。
また、居室親機には増設親機を接続することができ、増設親機では玄関子機または居室親機と呼出および通話することが可能であるとともに、居室親機の非常ボタン操作による非常通知または汎用入力端子に入力された非常通知に基づいて、増設親機においても非常通知をおこなうことが可能となり、他の部屋にいる居住者に知らせることができる。
さらに、居室親機における復旧操作をおこなうことにより、居室親機はもちろん玄関子機および増設親機における非常通知を一括で停止させるとともに待受状態に復旧させることができる。
【考案を実施するための最良の形態】
【０００６】
本考案における好ましい実施例を図面を参照して説明する。
【０００７】
図１は、本考案装置のシステム構成図であって、玄関子機１、居室親機２、増設親機３、外部入力装置５とからなり、居室親機２には玄関子機１、増設親機が接続され、更に汎用入力端子４に外部入力装置５が接続されている。
さらに、玄関子機１、居室親機２、増設親機３は図２のブロック図に示すように構成されている。
【０００８】
玄関子機１は、来訪者を撮像するためのカメラ１１、カメラのからの映像信号を変調する変調部１２、来訪者が居住者を呼び出しための呼出ボタン１３、居住者と通話するための通話回路１４、マイク１５、スピーカ１６、非常通知を視覚的に報知させるための子機ＬＥＤ１７、後述する居室親機２と接続するための子機インターフェース（以下、「子機ＩＦ」という。）１８とから構成されている。
【０００９】
また、居室親機２は、玄関子機１のカメラ１１で撮像した映像を出画するためのモニタ２１、モニタ２１に前記映像を出画するために玄関子機１の変調部１２で変調された映像信号を復調するための復調部２２、非常時に居住者が押下する非常ボタン２３、呼出時、通話時における送話状態時および非常時に点滅・点灯などの表示がおこなわれる送話表示灯２４、非常ボタン２３が押下されてから、または、後述する外部入力装置５からの非常通知を受信してから所定時間を計時するタイマ２５、来訪者と通話するための通話回路２８、マイク２６、スピーカ２７、玄関子機、後述する増設親機３および外部入力装置５と接続するための親機インターフェース（以下、「親機ＩＦ」という。）２９、各回路を制御する親機ＣＰＵ３０、外部入力装置を接続するための汎用入力端子４から構成されている。
【００１０】
さらに、増設親機３は、玄関子機１のカメラ１１で撮像した映像を出画するためのモニタ３１、モニタ３１に前記映像を出画するために玄関子機１の変調部１２で変調された映像信号を復調するための復調部３２、呼出時、通話時における送話状態時および非常時に点滅・点灯などの表示がおこなわれる送話表示灯３４、来訪者と通話するための通話回路３８、マイク３６、スピーカ３７、居室親機２と接続するための増親インターフェース（以下、「増親ＩＦ」という。）３９、各回路を制御する増親ＣＰＵ４０から構成されている。
【００１１】
このように構成されたテレビインターホン装置において、以下、動作を説明する。
【００１２】
なお、玄関子機の呼出ボタンを操作して居住者を呼び出すとともに玄関子機のカメラで撮像した映像を居室親機に出画させ、この呼び出しと映像を確認した居住者の応答操作により玄関子機、居室親機間の通話をおこなう動作については従来と同様であるので説明を省略する。
【００１３】
居住者が不審者を確認したとき、体調が悪くなったとき、火災を発見したとき等の非常時において居室親機２の非常ボタン２３を押下すると、親機ＣＰＵ３０がその操作を検出し、通話回路２８を駆動させてスピーカ２７から非常通知音を鳴動させるとともに、通常は呼び出し時およびハンズフリー通話における送話状態時に点滅・点灯する送話表示灯２４を呼出時、送話状態時とは異なる色および／またはパターンで点滅・点灯させる。
【００１４】
また、玄関子機１、増設親機３に対して非常通知信号Ｓ１を送出する。非常通知信号Ｓ１は親機ＩＦ２９を介して玄関子機１および増設親機３に送信される。玄関子機１ではスピーカ１６から非常通知音を鳴動させるとともに、子機ＬＥＤ１７を点灯・点滅させることで玄関子機１の近傍にいる人に非常状態を知らせる。ここで、子機ＬＥＤ１７は呼出ボタン１３と一体的に構成してもよい。この場合、呼出ボタン１３の周囲が子機ＬＥＤ１７によって発光する。
【００１５】
増設親機３では、増親ＩＦ３９を介して増親ＣＰＵ４０にて検出され、通話回路３８が制御されることによりスピーカ３７から非常通知音が鳴動するとともに、通常は呼び出し時およびハンズフリー通話における送話状態時に点滅・点灯する送話表示灯３４を呼出時、送話状態時とは異なる色および／またはパターンで点滅・点灯させる。
【００１６】
ここで居室親機２では親機ＣＰＵ３０の制御により、タイマ２５のカウントを開始させて所定時間を計時させる。所定時間が経つ前に、居室親機２にて例えば通話ボタン２０により復旧操作をおこなうと、全ての端末（居室親機、玄関子機、増設親機）における非常通知を終了し、待受け状態に戻る。なお、非常通知状態において、通話ボタン２０を操作したときには、親機ＣＰＵ３０の制御により、待受け状態時において通話ボタン２０を操作したときに行なわれるモニタ表示および通話モードへの移行はなされず、上述のように非常通知終了させるように動作する。
【００１７】
また、復旧操作がなされる前に、タイマ２５の計時が終了した場合には、全ての端末（居室親機、玄関子機、増設親機）若しくは、少なくとも一つの端末における非常通知を終了し、待受け状態に戻る。例えば、玄関子機１および増設親機３は復旧するが、居室親機２のみ非常通知状態を復旧操作がされるまで維持するようにしてもよい。また、居室親機２の非常ボタン２３が操作されたときにはタイマ２５の計時はさせないようにして居室親機２における復旧操作のみを待受け状態に戻す手段としてもよい。
【００１８】
さらに、居室親機２の非常ボタン２３を操作した場合においては玄関子機１や増設親機３からの呼び出し、通話よりも優先度を高くさせており、親機ＣＰＵ３０は、非常通知状態のときに玄関子機１や増設親機３からの呼び出しを検出しても無効として動作させず、非常通知状態を維持する制御をおこなう。
【００１９】
次に、汎用入力端子４に接続された外部入力装置５から非常通知が行なわれた場合について説明する。
【００２０】
他の部屋に設置される外部入力装置５を操作して所定の信号（ここでは、第２の非常通知信号とする。）を送出する。第２の非常通知信号は汎用入力端子４、親機ＩＦ２９を介して親機ＣＰＵ３０にて検出される。親機ＣＰＵ３０では外部入力装置５からの第２の非常通知信号であることを当該第２の非常通知信号に付加された端末ＩＤ（外部入力装置ＩＤ）により判別する。そして、玄関子機１、居室親機２および増設親機３において非常通知をおこなうが、この点の動作については上記実施例と同様である。
【００２１】
ただし、汎用入力端子４に接続された外部入力装置５からの非常通知の場合においては、玄関子機１や増設親機３からの呼び出し、通話を優先させており、親機ＣＰＵ３０は、非常通知状態のときに玄関子機１や増設親機３からの呼び出しを検出して非常通知状態を終了し、呼出報知をおこなうように制御する。なお、居室親機２では非常通知状態を維持して、その他の端末である玄関子機１や増設親機３のみ非常通知状態を終了して呼出報知をおこなうように制御してもよい。  
【図面の簡単な説明】
【００２２】
【図１】本考案におけるテレビインターホン装置のシステム構成図である。
【図２】本考案におけるテレビインターホン装置の詳細ブロック図である。
【符号の説明】
【００２３】
１    玄関子機
１１    カメラ
２    居室親機
２１    モニタ
２３    非常ボタン
２７    スピーカ
３０    親機ＣＰＵ
３    増設親機
３６、３７、３８    通話部（３７    増設親機スピーカ）
４０    増設親機ＣＰＵ
４    汎用入力端子
５    外部入力装置
Ｓ１  非常通知信号
Ｓ２  所定の信号
【図１】
0003125993.tif 000003
【図２】
0003125993.tif 000004